【手続補正書】
【提出日】平成17年1月18日(2005.1.18)
【手続補正１】
【補正対象書類名】明細書
【補正対象項目名】発明の名称
【補正方法】変更
【補正の内容】
【発明の名称】プリント基板設計支援方法及び記録媒体
【手続補正２】
【補正対象書類名】明細書
【補正対象項目名】特許請求の範囲
【補正方法】変更
【補正の内容】
【特許請求の範囲】
【請求項１】
プリント基板の電源回路に介在されるバイパスコンデンサの配置状態を評価する機能を備えたプリント基板設計支援方法であって、
前記プリント基板のレイアウト情報と前記プリント基板の構造及び材質情報とを含む入力情報をもとに、前記プリント基板上に於いてバイパスコンデンサの作用が及ぶ、バイパスコンデンサの有効範囲を算出するステップと、
前記算出されたバイパスコンデンサの有効範囲をもとに、前記プリント基板上に於いてバイパスコンデンサの作用が及ばない、前記プリント基板上のバイパスコンデンサの不足部分を算出するステップと、
前記算出された前記プリント基板上のバイパスコンデンサの不足部分に相当する前記プリント基板上の領域を所定の表示形態で表示するステップと
を具備したことを特徴とするプリント基板設計支援方法。
【請求項２】
前記算出されたバイパスコンデンサの有効範囲をもとに、前記プリント基板上に配置されたバイパスコンデンサのうち、コンデンサ作用が基板領域上で重複する余分なバイパスコンデンサを抽出するステップと、
前記抽出されたプリント基板上の余分なバイパスコンデンサを表示するステップと
をさらに具備したことを特徴とする請求項１記載のプリント基板設計支援方法。
【請求項３】
プリント基板の電源回路に介在されるバイパスコンデンサの配置状態を評価する機能を備えたプリント基板設計支援方法であって、
前記プリント基板の電源及びグラウンドの外形情報と、前記プリント基板の配線パターンの幅及び長さを含むレイアウト情報と、前記プリント基板の構造及び材質情報と、前記バイパスコンデンサの有効範囲を示すインピーダンス設定情報とをもとに、前記プリント基板上に配置されたバイパスコンデンサの有効範囲を算出するステップと、
前記算出されたバイパスコンデンサの有効範囲の情報と前記電源及びグラウンド外形情報とをもとに前記プリント基板上でバイパスコンデンサが不足している領域を抽出するステップと、
前記抽出されたバイパスコンデンサの不足している領域を表示するステップと
を具備したことを特徴とするプリント基板設計支援方法。
【請求項４】
前記算出されたバイパスコンデンサの有効範囲の情報をもとに前記電源及びグラウンドの外形情報に対して有効範囲を広げない余分なバイパスコンデンサを抽出するステップと、
前記抽出された余分なバイパスコンデンサを表示するステップと
をさらに具備したことを特徴とする請求項３記載のプリント基板設計支援方法。
【請求項５】
プリント基板の電源回路に介在されるバイパスコンデンサの配置状態を評価する機能を備えたプリント基板設計支援方法であって、
前記プリント基板のレイアウト情報と前記プリント基板の構造及び材質情報を含む入力情報とをもとに、前記プリント基板上に於いてバイパスコンデンサの作用が及ぶ、バイパスコンデンサの有効範囲を算出するステップと、
前記算出されたバイパスコンデンサの有効範囲をもとに、前記プリント基板上に於いてバイパスコンデンサの作用が及ばない、バイパスコンデンサの不足部分を算出するステップと、
前記算出されたバイパスコンデンサの有効範囲の情報をもとに前記プリント基板上に於いて前記バイパスコンデンサの作用が及ぶ有効領域を強調表示する第１の表示モード、または前記算出されたバイパスコンデンサの不足部分の情報をもとに前記プリント基板上に於いてバイパスコンデンサの作用が及ばない不足領域を強調表示する第２の表示モードのいずれか一方を選択して表示するステップと
を具備したことを特徴とするプリント基板設計支援方法。
【請求項６】
プリント基板設計ＣＡＤシステムに、
プリント基板のレイアウト情報と前記プリント基板の構造及び材質情報とユーザ指定による有効範囲を示すインピーダンス情報とを含む入力情報をもとに前記プリント基板上のバイパスコンデンサの有効範囲を算出する機能、
前記算出されたバイパスコンデンサの有効範囲をもとに、前記プリント基板上に於いてバイパスコンデンサの作用が及ばない、バイパスコンデンサの不足部分を算出する機能、
前記算出された前記プリント基板上のバイパスコンデンサの不足部分をパターン表示させるための表示データを生成する機能
を実現させるためのプログラムを記録した機械読取り可能な記録媒体。
【請求項７】
プリント基板設計ＣＡＤシステムに、
プリント基板のレイアウト情報と前記プリント基板の構造及び材質情報とユーザ指定による有効範囲を示すインピーダンス情報とを含む入力情報をもとに前記プリント基板上のバイパスコンデンサの有効範囲を算出する機能、
前記算出されたバイパスコンデンサの有効範囲をもとに、前記プリント基板上に配置されたバイパスコンデンサのうち、コンデンサ作用が基板領域上で重複する余分なバイパスコンデンサを抽出する機能、
前記抽出されたプリント基板上の余分なバイパスコンデンサを表示させるための表示データを生成する機能
を実現させるためのプログラムを記録した機械読取り可能な記録媒体。
【請求項８】
プリント基板設計ＣＡＤシステムに、
プリント基板のレイアウト情報と前記プリント基板の構造及び材質情報とを含む入力情報をもとに、前記プリント基板上に於いてバイパスコンデンサの作用が及ぶ、バイパスコンデンサの有効範囲を算出する機能、
前記算出されたバイパスコンデンサの有効範囲をもとに、前記プリント基板上に於いてバイパスコンデンサの作用が及ばない、バイパスコンデンサの不足部分を算出する機能、
前記算出されたバイパスコンデンサの有効範囲の情報をもとに前記プリント基板上に於いて前記バイパスコンデンサの作用が及ぶ有効領域を強調表示する第１の表示モード、又は、前記算出されたバイパスコンデンサの不足部分の情報をもとに前記プリント基板上に於いてバイパスコンデンサの作用が及ばない不足領域を強調表示する第２の表示モードのいずれか一方を選択し表示出力する機能
を実現させるためのプログラムを記録した機械読取り可能な記録媒体。
【手続補正３】
【補正対象書類名】明細書
【補正対象項目名】０００１
【補正方法】変更
【補正の内容】
【０００１】
【発明の属する技術分野】
本発明は、プリント基板上のバイパスコンデンサの配置状態を評価する機能をもつプリント基板設計支援方法及びプリント基板設計ＣＡＤシステムに適用される記録媒体に関する。
【手続補正４】
【補正対象書類名】明細書
【補正対象項目名】０００２
【補正方法】変更
【補正の内容】
【０００２】
又、本発明は、電子回路を構成する回路基板のレイアウト設計を行なうためのプリント基板設計ＣＡＤシステムに於いて、基板上に配置するバイパスコンデンサの評価機能を有するプリント基板設計支援方法及び記録媒体に関する。
【手続補正５】
【補正対象書類名】明細書
【補正対象項目名】００１２
【補正方法】変更
【補正の内容】
【００１２】
本発明は上記実情に鑑みなされたもので、プリント基板の電源回路に介在されるバイパスコンデンサの配置状態を評価する機能をもつプリント基板設計支援システムに於いて、バイパスコンデンサが不足している領域（バイパスコンデンサの作用が及ばない領域）を利用者が容易かつ的確に把握できるプリント基板設計支援方法及び記録媒体を提供することを目的とする。
【手続補正６】
【補正対象書類名】明細書
【補正対象項目名】００１３
【補正方法】変更
【補正の内容】
【００１３】
また、本発明は、プリント基板の電源回路に介在されるバイパスコンデンサの配置状態を評価する機能をもつプリント基板設計支援システムに於いて、余分な（有効に作用しない無用な）バイパスコンデンサが配置された場合に、当該コンデンサを容易かつ的確に把握できるプリント基板設計支援方法及び記録媒体を提供することを目的とする。
【手続補正７】
【補正対象書類名】明細書
【補正対象項目名】００１４
【補正方法】変更
【補正の内容】
【００１４】
また、本発明は、プリント基板の電源回路に介在されるバイパスコンデンサの配置状態を評価する機能をもつプリント基板設計支援システムに於いて、バイパスコンデンサを配置する際に、そのコンデンサの概略有効範囲をユーザが容易に把握でき、これにより部品配置作業を効率よく実行できるプリント基板設計支援方法を提供することを目的とする。
【手続補正８】
【補正対象書類名】明細書
【補正対象項目名】００１７
【補正方法】変更
【補正の内容】
【００１７】
即ち、本発明は、プリント基板の電源回路に介在されるバイパスコンデンサの配置状態を評価する機能を備えたプリント基板設計支援方法であって、前記プリント基板のレイアウト情報と前記プリント基板の構造及び材質情報とを含む入力情報をもとに、前記プリント基板上に於いてバイパスコンデンサの作用が及ぶ、バイパスコンデンサの有効範囲を算出するステップと、前記算出されたバイパスコンデンサの有効範囲をもとに、前記プリント基板上に於いてバイパスコンデンサの作用が及ばない、前記プリント基板上のバイパスコンデンサの不足部分を算出するステップと、前記算出された前記プリント基板上のバイパスコンデンサの不足部分に相当する前記プリント基板上の領域を所定の表示形態で表示するステップとを具備したことを特徴とする。
【手続補正９】
【補正対象書類名】明細書
【補正対象項目名】００１８
【補正方法】変更
【補正の内容】
【００１８】
また、本発明は、プリント基板の電源回路に介在されるバイパスコンデンサの配置状態を評価する機能を備えたプリント基板設計支援方法であって、前記プリント基板のレイアウト情報と、前記プリント基板の構造及び材質情報とを含む入力情報をもとに、前記プリント基板上に於いてバイパスコンデンサの作用が及ぶ、バイパスコンデンサの有効範囲を算出するステップと、前記算出されたバイパスコンデンサの有効範囲をもとに、前記プリント基板上に配置されたバイパスコンデンサのうち、コンデンサ作用が基板領域上で重複する余分なバイパスコンデンサを抽出するステップと、前記抽出されたプリント基板上の余分なバイパスコンデンサを表示するステップとを具備したことを特徴とする。
【手続補正１０】
【補正対象書類名】明細書
【補正対象項目名】００１９
【補正方法】変更
【補正の内容】
【００１９】
また、本発明は、プリント基板の電源回路に介在されるバイパスコンデンサの配置状態を評価する機能を備えたプリント基板設計支援方法であって、少なくとも各電源及びグラウンドの外形情報と、配線パターンの幅及び長さを含むプリント基板のレイアウト情報と、プリント基板の構造及び材質情報と、バイパスコンデンサの有効範囲を示すインピーダンス設定情報とをもとに、プリント基板上に配置されたバイパスコンデンサの有効範囲を算出するステップと、前記算出されたバイパスコンデンサの有効範囲情報と電源及びグラウンド外形情報とをもとにプリント基板上でバイパスコンデンサが不足している領域を抽出するステップと、前記抽出されたバイパスコンデンサの不足している領域を表示するステップとを具備したことを特徴とする。
【手続補正１１】
【補正対象書類名】明細書
【補正対象項目名】００２０
【補正方法】変更
【補正の内容】
【００２０】
また、本発明は、プリント基板の電源回路に介在されるバイパスコンデンサの配置状態を評価する機能を備えたプリント基板設計支援方法であって、少なくとも各電源及びグラウンドの外形情報と、配線パターンの幅及び長さを含むプリント基板のレイアウト情報と、プリント基板の構造及び材質情報と、バイパスコンデンサの有効範囲を示すインピーダンス設定情報とをもとにプリント基板上に配置されたバイパスコンデンサの有効範囲を算出するステップと、前記算出されたバイパスコンデンサの有効範囲情報をもとに電源及びグラウンドの外形情報に対して有効範囲を広げない余分なバイパスコンデンサを抽出するステップと、前記抽出された余分なバイパスコンデンサを表示するステップとを具備したことを特徴とする。
【手続補正１２】
【補正対象書類名】明細書
【補正対象項目名】００２１
【補正方法】変更
【補正の内容】
【００２１】
また、本発明は、プリント基板の電源回路に介在されるバイパスコンデンサの配置状態を評価する機能を備えたプリント基板設計支援方法であって、プリント基板のレイアウト情報、プリント基板の構造及び材質情報を含む入力情報をもとに、プリント基板上に於いてバイパスコンデンサの作用が及ぶ、バイパスコンデンサの有効範囲を算出するステップと、前記算出されたバイパスコンデンサの有効範囲をもとに、プリント基板上に於いてバイパスコンデンサの作用が及ばない、バイパスコンデンサの不足部分を算出するステップと、前記算出されたバイパスコンデンサの有効範囲の情報をもとにプリント基板上に於いて前記バイパスコンデンサの作用が及ぶ有効領域を強調表示する第１の表示モード、又は、前記算出されたバイパスコンデンサの不足部分の情報をもとにプリント基板上に於いてバイパスコンデンサの作用が及ばない不足領域を強調表示する第２の表示モードのいずれか一方を選択し表示出力するステップとを具備したことを特徴とする。
【手続補正１３】
【補正対象書類名】明細書
【補正対象項目名】００２２
【補正方法】変更
【補正の内容】
【００２２】
また、本発明は、上記プリント基板設計支援方法に於いて、バイパスコンデンサが不足している領域を特定の色又は表示形態でパターン表示することを特徴とする。
【手続補正１４】
【補正対象書類名】明細書
【補正対象項目名】００２３
【補正方法】変更
【補正の内容】
【００２３】
また、本発明は、上記プリント基板設計支援方法に於いて、バイパスコンデンサが不足している領域を、その度合いにより色分けして又は表示形態を変えて段階表示することを特徴とする。
【手続補正１５】
【補正対象書類名】明細書
【補正対象項目名】００２４
【補正方法】変更
【補正の内容】
【００２４】
また、本発明は、上記プリント基板設計支援方法に於いて、バイパスコンデンサの不足している領域として、各電源の外形線上で、異種電源に接続されるデバイスからの信号が跨がる個所付近、部品の電源やグラウンド付近、各電源形状の外形線付近、クロック信号付近のいずれかを含む放射ノイズの発生し易い構造を持つ領域を付加して表示するステップをさらに具備することを特徴とする。
【手続補正１６】
【補正対象書類名】明細書
【補正対象項目名】００２５
【補正方法】変更
【補正の内容】
【００２５】
また、本発明は、上記プリント基板設計支援方法に於いて、プリント基板上に於けるバイパスコンデンサの有効領域を不足部分と区分してインピーダンス値単位で多段階表示することを特徴とする。
【手続補正１７】
【補正対象書類名】明細書
【補正対象項目名】００２６
【補正方法】変更
【補正の内容】
【００２６】
また、本発明は、上記プリント基板設計支援方法に於いて、プリント基板上の余分なバイパスコンデンサをロケーション番号又はその他の対応情報により一覧表示することを特徴とする。
【手続補正１８】
【補正対象書類名】明細書
【補正対象項目名】００２７
【補正方法】変更
【補正の内容】
【００２７】
また、本発明は、上記プリント基板設計支援方法に於いて、余分に実装されているバイパスコンデンサの形状を、基板レイアウト表示の中で強調表示することを特徴とする。
【手続補正１９】
【補正対象書類名】明細書
【補正対象項目名】００２８
【補正方法】変更
【補正の内容】
【００２８】
また、本発明は、部品形状データに従いプリント基板上に指定された部品を配置する部品配置処理手段をもつプリント基板設計ＣＡＤシステムのプリント基板設計支援方法に於いて、バイパスコンデンサを配置したとき、当該コンデンサの部品セル形状に付加して、当該コンデンサの作用が及ぶ、バイパスコンデンサの有効範囲を特定パターンで表示するステップをさらに具備することを特徴とする。
【手続補正２０】
【補正対象書類名】明細書
【補正対象項目名】００９６
【補正方法】変更
【補正の内容】
【００９６】
【発明の効果】
以上詳記したように本発明によれば、バイパスコンデンサが不足している領域（バイパスコンデンサの作用が及ばない領域）を利用者が容易かつ的確に把握できる。
【手続補正２１】
【補正対象書類名】明細書
【補正対象項目名】００９７
【補正方法】変更
【補正の内容】
【００９７】
また、本発明によれば、余分な（有効に作用しない無用な）バイパスコンデンサが配置された場合に、当該コンデンサを容易かつ的確に把握できる。
【手続補正２２】
【補正対象書類名】明細書
【補正対象項目名】００９８
【補正方法】変更
【補正の内容】
【００９８】
また、本発明によれば、バイパスコンデンサを配置する際に、そのコンデンサの概略有効範囲をユーザが容易に把握でき、これにより部品配置作業を効率よく実行できる。